(57)【要約】      （修正有）【課題】組立前には嵩張らず、使用時に簡単に組み立てることができるマチ付きファイルを提供する。【解決手段】四角形状の表紙形成部１と、表紙形成部１の側辺から折り返した第１折り返し部２と、表紙形成部１の底辺から第１折り返し部２と重なる方向に折り返した第２折り返し部３を有し、表紙形成部１，第１折り返し部２，第２折り返し部３によって収納部１０の壁面を形成し、第１折り返し部２は、係合溝６ａ，６ｂを有し、第２折り返し部３は、その側辺から立ち上がった係合片９ａ，９ｂを有し、係合片９ａ，９ｂを係合溝６ａ，６ｂに挿入し、第１折り返し部２と第２折り返し部３を固定する。【選択図】図１
0003202529.tif 000002
【実用新案登録請求の範囲】
【請求項１】
本状又は紙状の被収納物を収納可能な収納部を備えたマチ付きファイルにおいて、
四角形状の表紙形成部と、表紙形成部の側辺から折り返した第１折り返し部と、前記表紙形成部の底辺から第１折り返し部と同一方向に折り返した第２折り返し部を有し、
前記収納部は、前記第１折り返し部と第２折り返し部によって壁面が形成されるものであり、
前記第１折り返し部は、係合溝を有し、
前記第２折り返し部は、その側辺から立ち上がった係合片を有し、
前記係合片が前記係合溝に挿入されていることを特徴とするマチ付きファイル。
【請求項２】
本状又は紙状の被収納物を収納可能な収納部を備えたマチ付きファイルにおいて、
四角形状の表紙形成部と、表紙形成部の側辺から折り返した第１折り返し部と、前記表紙形成部の底辺から第１折り返し部と同一方向に折り返した第２折り返し部を有し、
前記収納部は、前記第１折り返し部と第２折り返し部によって壁面が形成されるものであり、
前記第１折り返し部は、前記表紙形成部と対面する第１本体部と、前記第１本体部と表紙形成部を接続する第１マチ部を有し、
前記第１マチ部は、前記第１本体部との境界部分に係合溝を有し、
前記第２折り返し部は、前記第１本体部に面接触する第２本体部と、前記第２本体部と表紙形成部を接続する第２マチ部を有し、
前記第２マチ部は、前記収納部の底部を形成しており、
前記第２本体部は、その側辺から立ち上がった係合片を有し、前記係合片が前記係合溝に挿入されており、
前記第２本体部を正面視したときに、前記第２本体部の側辺と、前記第１マチ部と前記第１本体部との境界部分がほぼ重なっていることを特徴とするマチ付きファイル。
【請求項３】
前記表紙形成部の側辺から折り返し可能な第３折り返し部を有し、
前記第３折り返し部は、第２表紙形成部と、前記表紙形成部と前記第２表紙形成部を接続する第３マチ部を有し、
前記第３マチ部は、前記表紙形成部に片持ち状に支持されており、
第３折り返し部を折り返した状態において、前記第３マチ部は、前記収納部の側面を形成することを特徴とする請求項１又は２に記載のマチ付きファイル。
【請求項４】
第３折り返し部を伸ばした状態において、前記収納部の内部空間は、その側面が開放されていることを特徴とする請求項３に記載のマチ付きファイル。
【請求項５】
前記第３マチ部は、前記被収納物に関する情報を記載可能であることを特徴とする請求項３又は４に記載のマチ付きファイル。
【請求項６】
前記収納部の内部空間は、上方に向けて開放されていることを特徴とする請求項１〜５のいずれかに記載のマチ付きファイル。
【請求項７】
前記係合片は、立ち上がり方向における基端部と先端部間に、前記基端部の幅及び前記先端部の幅よりも大きな幅をもつ抜け防止部を備えていることを特徴とする請求項１〜６のいずれかに記載のマチ付きファイル。
【請求項８】
前記係合片は、前記抜け防止部から先端部に向かって漸次幅が減少していることを特徴とする請求項７に記載のマチ付きファイル。
【考案の詳細な説明】
【技術分野】
【０００１】
本考案は、接着剤を使用せずに組み立てることができるマチ付きファイルに関するものである。
【背景技術】
【０００２】
専門学校や大学等の学校や企業等では、様々なパンフレットや資料等の書類が作成され、保管されている。通常は、これらの書類は、同種のもの同士に分類されて同一のファイルに収納されている。そして、これらのファイルに見だしを付し、見だしでファイル内の書類の識別ができるように整理されている。
また、書類の枚数が増えても容易に収納できるように、ファイルにはマチ部分が設けられているものも存在する。ファイルにマチ部分が設けられていると、ある程度まとまった枚数の書類を収納し保管することができる。
このようなファイルが、例えば特許文献１に開示されている。
【先行技術文献】
【特許文献】
【０００３】
【特許文献１】特開２０１３−１９８９９８号公報
【考案の概要】
【考案が解決しようとする課題】
【０００４】
ところで、特許文献１に開示されている様な従来のファイルは、本体とポケット片を有しており、本体にポケット片を接着剤で接着することによってマチ部分を有するポケット（収納部）を構成している。すなわち、従来のファイルは、本体とポケットとが接着固定されている。
そのため、本体からポケットを取り外すことができず、ファイルの嵩を低くすることができない。すなわち、複数のファイルを束ねた際に、ファイルのマチ部分が嵩張ってしまう。
【０００５】
そこで、本考案は、組立前には嵩張らず、使用時に簡単に組み立てることができるマチ付きファイルを提供することを課題とする。
【課題を解決するための手段】
【０００６】
上記した課題を解決するための請求項１に記載の考案は、本状又は紙状の被収納物を収納可能な収納部を備えたマチ付きファイルにおいて、四角形状の表紙形成部と、表紙形成部の側辺から折り返した第１折り返し部と、前記表紙形成部の底辺から第１折り返し部と同一方向に折り返した第２折り返し部を有し、前記収納部は、前記第１折り返し部と第２折り返し部によって壁面が形成されるものであり、前記第１折り返し部は、係合溝を有し、前記第２折り返し部は、その側辺から立ち上がった係合片を有し、前記係合片が前記係合溝に挿入されていることを特徴とするマチ付きファイルである。
【０００７】
本考案の構成によれば、表紙形成部の側辺から折り返した第１折り返し部が係合溝を有し、表紙形成部の底辺から折り返した第２折り返し部が、その側辺から立ち上がった係合片を有しており、係合片が係合溝に挿入されているので、表紙形成部と連続した第１折り返し部と第２折り返し部が係合して収納部を構成することができる。
係合片は、第２折り返し部の側片から立ち上がって構成されているので、第２折り返し部が形成する壁面の強度を良好に保つことができる。そのため、被収納物を良好に収納することができる。
本考案に係るマチ付きファイルは、使用する際には、第１折り返し部と第２折り返し部を折り返し、係合片と係合溝を係合するだけで容易に被収納物を収納可能な収納部を形成することができる。
【０００８】
請求項２に記載の考案は、本状又は紙状の被収納物を収納可能な収納部を備えたマチ付きファイルにおいて、四角形状の表紙形成部と、表紙形成部の側辺から折り返した第１折り返し部と、前記表紙形成部の底辺から第１折り返し部と同一方向に折り返した第２折り返し部を有し、前記収納部は、前記第１折り返し部と第２折り返し部によって壁面が形成されるものであり、前記第１折り返し部は、前記表紙形成部と対面する第１本体部と、前記第１本体部と表紙形成部を接続する第１マチ部を有し、前記第１マチ部は、前記第１本体部との境界部分に係合溝を有し、前記第２折り返し部は、前記第１本体部に面接触する第２本体部と、前記第２本体部と表紙形成部を接続する第２マチ部を有し、前記第２マチ部は、前記収納部の底部を形成しており、前記第２本体部は、その側辺から立ち上がった係合片を有し、前記係合片が前記係合溝に挿入されており、前記第２本体部を正面視したときに、前記第２本体部の側辺と、前記第１マチ部と前記第１本体部との境界部分がほぼ重なっていることを特徴とするマチ付きファイルである。
【０００９】
本考案の構成によれば、表紙形成部の側辺から折り返した第１折り返し部が係合溝を有し、表紙形成部の底辺から折り返した第２折り返し部が、その側辺から立ち上がった係合片を有しており、係合片が係合溝に挿入されているので、表紙形成部と連続した第１折り返し部と第２折り返し部が係合して収納部を構成することができる。
係合片は、第２折り返し部の側片から立ち上がって構成されているので、第２折り返し部が形成する壁面の強度を良好に保つことができる。そのため、被収納物を良好に収納することができる。
本考案の構成によれば、表紙形成部の側辺から折り返した第１折り返し部があり、第１折り返し部は、表紙形成部と対面する第１本体部と、前記第１本体部と表紙形成部を接続する第１マチ部を有しているので、第１マチ部は収納部の側壁を構成することができる。
また、表紙形成部の底辺から第１折り返し部と同一方向に折り返した第２折り返し部を有し、第２折り返し部は、第１本体部に面接触する第２本体部と、第２本体部と表紙形成部を接続する第２マチ部を有し、第２マチ部は、前記収納部の底部を形成している。
そのため、第１マチ部と第２マチ部で収納部の側部と底部を構成することができ、被収納物を良好に収納することができる。
第１マチ部が、第１本体部との境界部分に係合溝を有し、第２本体部が、その側辺から立ち上がった係合片を有し、係合片が係合溝に挿入されているので、第１本体部及び第２本体部が形成する壁面上に、係合片と係合溝の結合部分が配置されない。すなわち、第２本体部を正面視したときに、第２本体部の側辺と、第１マチ部と第１本体部との境界部分がほぼ重なっているので、係合片と係合溝の結合部分は、第１本体部及び第２本体部が形成する壁面の縁部分に配置されている。そのため、本考案のマチ付きファイルでは、収納部に被収納物を収容する際に、被収納物が係合片と係合溝の結合部分に引っ掛かりにくく、円滑に収容することができる。同様に、収納部から被収納物を取り出す際も、円滑に取り出すことができる。
ここで、第２本体部の側辺と、第１マチ部と第１本体部との境界部分がほぼ重なっているとは、係合溝と係合片とが係合可能に接近していることを意味しており、正面視して両者が若干ずれている場合も含んでいる。
本考案に係るマチ付きファイルは、使用する際には、第１折り返し部と第２折り返し部を折り返し、係合片と係合溝を係合するだけで容易に被収納物を収納可能な収納部を形成することができる。
【００１０】
請求項３に記載の考案は、前記表紙形成部の側辺から折り返し可能な第３折り返し部を有し、前記第３折り返し部は、第２表紙形成部と、前記表紙形成部と前記第２表紙形成部を接続する第３マチ部を有し、前記第３マチ部は、前記表紙形成部に片持ち状に支持されており、第３折り返し部を折り返した状態において、前記第３マチ部は、前記収納部の側面を形成することを特徴とする請求項１又は２に記載のマチ付きファイルである。
【００１１】
本考案の構成によれば、表紙形成部の側辺から折り返し可能な第３折り返し部を有し、第３折り返し部は、第２表紙形成部と、表紙形成部と第２表紙形成部を接続する第３マチ部を有している。そのため、収納部は、表紙形成部と第２表紙形成部の間にも形成される。また、第３マチ部は、表紙形成部に片持ち状に支持されており、第３折り返し部を折り返した状態において、第３マチ部は、収納部の側面を形成する。すなわち、第３マチ部は第１マチ部とは別の収納部の側面（側壁）を構成することができる。よって、収納物を良好に収納することができる。
【００１２】
請求項４に記載の考案は、第３折り返し部を伸ばした状態において、前記収納部の内部空間は、その側面が開放されていることを特徴とする請求項３に記載のマチ付きファイルである。
【００１３】
本考案の構成によれば、第３折り返し部を伸ばした状態において、収納部の内部空間は、その側面が開放されているので、被収納物の出し入れを容易に行うことができる。
【００１４】
請求項５に記載の考案は、前記第３マチ部は、前記被収納物に関する情報を記載可能であることを特徴とする請求項３又は４に記載のマチ付きファイルである。
【００１５】
本考案の構成によれば、第３マチ部は、被収納物に関する情報を記載可能であるので、マチ付きファイルの中を覗くことなく容易に被収納物の種類を認識することができる。
また、複数のマチ付きファイルを並べた際には、各マチ付きファイルに収納された被収納物の種類等を容易に識別可能である。
【００１６】
請求項６に記載の考案は、前記収納部の内部空間は、上方に向けて開放されていることを特徴とする請求項１〜５のいずれかに記載のマチ付きファイルである。
【００１７】
本考案の構成によれば、収納部の内部空間は、上方に向けて開放されているので、被収納物を上方からも出し入れすることができる。
【００１８】
請求項７に記載の考案は、前記係合片は、立ち上がり方向における基端部と先端部間に、前記基端部の幅及び前記先端部の幅よりも大きな幅をもつ抜け防止部を備えていることを特徴とする請求項１〜６のいずれかに記載のマチ付きファイルである。
【００１９】
本考案の構成によれば、係合片は、立ち上がり方向における基端部と先端部間に、基端部の幅及び先端部の幅よりも大きな幅をもつ抜け防止部を備えているので、係合溝との係合が外れにくい。
【００２０】
請求項８に記載の考案は、前記係合片は、前記抜け防止部から先端部に向かって漸次幅が減少していることを特徴とする請求項７に記載のマチ付きファイルである。
【００２１】
本考案の構成によれば、係合片は、抜け防止部から先端部に向かって漸次幅が減少しているので、係合溝に対して係合片を係合させ易い。
【考案の効果】
【００２２】
本考案に係るマチ付きファイルは、使用する際には、第１折り返し部と第２折り返し部を折り返し、係合片と係合溝を係合するだけで容易に被収納物を収納可能な収納部を形成することができる。
収納部は、係合片と係合溝が、収納空間の側方の端で係合するので、収納部に対して被収納物を出し入れする際に、被収納物が係合片及び係合溝に引っ掛からず、円滑に出し入れすることができる。
【図面の簡単な説明】
【００２３】
【図１】本考案の実施形態に係るマチ付きファイルを展開した状態の正面図である。
【図２】図１のマチ付きファイルの要部拡大図である。
【図３】図１のマチ付きファイルの背面図である。
【図４】図１のマチ付きファイルの各部の折り曲げ方向を示す斜視図である。
【図５】マチ付きファイルの第１折り返し部を折り返した状態の正面図である。
【図６】図５の第１折り返し部の斜視図である。
【図７】図５に続き、第２折り返し部を折り返した状態の斜視図である。
【図８】図７に続き、第３折り返し部を折り返した状態の斜視図である。
【図９】図８の状態のマチ付きファイルの別の方向から見た斜視図である。
【図１０】図７のＡ−Ａ矢視図である。
【図１１】本考案の実施形態に係るマチ付きファイルの平面図であり、収納部に被収納物が収納されている状態を示す。
【図１２】組み立てた複数のマチ付きファイルを重ね、背面側から見た斜視図である。
【考案を実施するための形態】
【００２４】
以下に、本考案の第１実施形態のマチ付きファイルについて説明する。
なお、以下の説明において、特に断りがない限り、上下左右の位置関係は、通常の設置位置（図１）を基準に説明する。
【００２５】
図１に示す様に、マチ付きファイル１００は、１枚の厚紙又はプラスチックシート等で形成されている。マチ付きファイル１００は、表紙形成部１，第１折り返し部２，第２折り返し部３，第３折り返し部１１を有している。また、マチ付きファイル１００は、各折り返し部が折り返されて、内部に収納部１０が形成されている。
【００２６】
表紙形成部１は、四角形状を呈しており、右側辺１７，左側辺１８，上辺１９，下辺２０（底辺）を有している。
右側辺１７には、第１折り返し部２が設けられている。
左側辺１８には、第３折り返し部１１が設けられている。
上辺１９には、何も設けられておらず、開放されている。
下辺２０（底辺）には、第２折り返し部３が設けられている。
すなわち、表紙形成部１は、マチ付きファイル１００の中心部分を構成している。
表紙形成部１は、書類や書籍等の被収納物よりも若干大きい面積を有している。
【００２７】
第１折り返し部２は、表紙形成部１の右側辺１７に設けられている。
第１折り返し部２は、四角形状を呈しており、右側辺２６，左側辺２７，上辺２８，下辺２９を有している。第１折り返し部２の左側辺２７は、表紙形成部１の右側辺１７の下部の約半分の領域と一致している。
第１折り返し部２の下辺２９の高さは、表紙形成部１の下辺２０と一致しており、第１折り返し部２の上辺２８の高さは、表紙形成部１の高さの約半分程度である。すなわち、第１折り返し部２の上辺２８は、表紙形成部１の高さ方向の中央付近に達している。
【００２８】
第１折り返し部２は、第１本体部４（壁面）と第１マチ部５（収納部１０の側部）を有している。第１マチ部５は、表紙形成部１と連続している。すなわち、第１マチ部５は、第１折り返し部２の左側辺２７を構成しており、左側辺２７は、表紙形成部１の右側辺１７の下部の略半分の長さ部分と一致している。
第１マチ部５は、細長い四角形状を呈しており、第１折り返し部２の上辺２８及び下辺２９の左端部分の長さＬ１の領域を占めている。すなわち、第１マチ部５のマチの幅はＬ１である。
第１本体部４は、第１マチ部５を介して表紙形成部１と接続されている。すなわち、表紙形成部１と第１本体部４は、第１マチ部５が占めるマチ幅Ｌ１だけ隔てられている。
【００２９】
第１折り返し部２の左側辺２７（表紙形成部１の右側辺１７）には、屈曲部２１が設けられている。また、第１マチ部５と第１本体部４の間には、屈曲部２２が設けられている。すなわち、屈曲部２２は第１本体部４と第１マチ部５の境界部分を構成している。
【００３０】
屈曲部２１，２２は、同方向にそれぞれ直角に折り曲げることができる。屈曲部２１，２２をそれぞれ直角に折り曲げると、第１本体部４が表紙形成部１とマチ幅Ｌ１を隔てて平行姿勢で対向する。
【００３１】
屈曲部２２の途中の部位には、第１折り返し部２を貫通する係合溝６ａ，６ｂ（スリット）が設けられている。係合溝６ａ，６ｂは、屈曲部２２の長手方向に沿って配置されている。図２に示す様に、係合溝６ａ，６ｂは、中央切欠部２３，上部切欠部２４，下部切欠部２５で構成されている。すなわち、係合溝６ａ，６ｂは、同じ大きさ及び形状のスリットであり、中央切欠部２３の上方に上部切欠部２４が連続しており、中央切欠部２３の下方に下部切欠部２５が連続している。
【００３２】
中央切欠部２３は、直線状であり、屈曲部２２の長手方向に沿って第１本体部４の縁付近に設けられている。
【００３３】
上部切欠部２４は、直線状であり、第１本体部４から第１マチ部５に渡って屈曲部２２と交差している。上部切欠部２４は、右端が中央切欠部２３の上端と連続しており、右端よりも左端の方が上方にあり、第１マチ部５側が高く、第１本体部４側が低くなる様に傾斜している。
【００３４】
下部切欠部２５は、直線状であり、第１本体部４から第１マチ部５に渡って屈曲部２２と交差している。下部切欠部２５は、右端が中央切欠部２３の下端と連続しており、右端よりも左端の方が下方にあり、第１マチ部５側が低く、第１本体部４側が高くなる様に傾斜している。
【００３５】
すなわち、上部切欠部２４と下部切欠部２５は、逆向きに傾斜しており、中央切欠部２３を介して接続されている。
上部切欠部２４の上端２４ａ（左端）と、下部切欠部２５の下端２５ａ（左端）は、距離Ｌ５（長さＬ５）だけ離間している。
【００３６】
係合溝６ａ，６ｂによって、第１折り返し部２には、切欠片４３，４４が形成されている。切欠片４３，４４は、上部切欠部２４の上端２４ａと下部切欠部２５の下端２５ａを結ぶ長さＬ５の線を中心に湾曲可能である。
係合溝６ａ，６ｂは、各々この様な構成を有している。
【００３７】
係合溝６ａ，６ｂは、第１折り返し部２の高さ方向に均等に設けられている。すなわち、係合溝６ａ（上部切欠部２４）の上端２４ａ（左端）から第１折り返し部２（第１マチ部５）の上辺２８までの距離と、係合溝６ｂ（下部切欠部２５）の下端２５ａ（左端）から第１折り返し部２（第１マチ部５）の下辺２９までの距離は同じである。
【００３８】
本実施形態では、第１折り返し部２には２つの係合溝６ａ，６ｂが設けられているが、係合溝の数は１つであってもよく、また、３つ以上であっても差し支えない。係合溝がいくつであっても、各係合溝は第１折り返し部２の高さ方向に均等に設けられる。
【００３９】
また、表紙形成部１に対する第１折り返し部２の高さ（下辺２９から上辺２８までの長さ）は任意に設定することができ、本実施形態では、表紙形成部１の高さの半分程度としたが、例えば、表紙形成部１の高さと一致していてもよい。さらに、第１折り返し部２の下辺２９の高さは、本実施形態では、表紙形成部１の下辺２０の高さと一致しているが、第１折り返し部２の下辺２９は表紙形成部１の下辺２０より上方であってもよい。
【００４０】
第２折り返し部３は、表紙形成部１の下辺２０に設けられている。
第２折り返し部３は、四角形状を呈しており、右側辺３０，左側辺３１，上辺３２，下辺３３を有している。
上辺３２は、表紙形成部１の下辺２０（底辺）と一致している。
右側辺３０は、表紙形成部１の右側辺１７と同一直線上に配置されている。
左側辺３１は、表紙形成部１の左側辺１８と同一直線上に配置されている。
すなわち、第２折り返し部３の幅寸法（右側辺３０と左側辺３１の距離）は、表紙形成部１の幅寸法（右側辺１７と左側辺１８の距離）と一致している。
【００４１】
第２折り返し部３は、第２本体部７（壁面）と第２マチ部８（収納部１０の底部）を有している。第２マチ部８は、表紙形成部１と連続している。すなわち、第２マチ部８は、第２折り返し部３の上部にあり、上辺３２を有している。
第２マチ部８は、細長い四角形状を呈しており、第２本体部７の上辺３２から下辺３３側に長さＬ２の領域を占めている。換言すると、第２マチ部８のマチ幅はＬ２である。
第２本体部７は、第２マチ部８を介して表紙形成部１と接続されている。
すなわち、表紙形成部１と第２本体部７は、第２マチ部８が占めるマチ幅Ｌ２だけ隔てられている。
【００４２】
第２折り返し部３の上辺３２（表紙形成部１の下辺２０）には、屈曲部４１が設けられている。すなわち、屈曲部４１と上辺３２（表紙形成部１の下辺２０）は一致している。また、第２マチ部８と第２本体部７の間には、屈曲部４２が設けられている。すなわち、屈曲部４２は第２本体部７と第２マチ部８の境界部分を構成している。
【００４３】
屈曲部４１と屈曲部４２は、距離Ｌ２だけ離間している。すなわち、第２マチ部８は、Ｌ２のマチ幅を有している。
マチ幅Ｌ２は、第１マチ部５のマチ幅Ｌ１よりも若干大きい。すなわち、マチ幅Ｌ２は、マチ付きファイル１００を構成する素材の厚み分（肉厚分）だけマチ幅Ｌ１よりも大きい。
【００４４】
屈曲部４２から下辺３３までの長さは、第１折り返し部２の上辺２８から下辺２９までの長さと一致している。
【００４５】
屈曲部４１，４２は、第１本体部４の屈曲部２１，２２と同方向に折り曲げることができる。屈曲部４１，４２をそれぞれ直角に折り曲げると、第２本体部７（壁面）が表紙形成部１とマチ幅Ｌ２だけ離間して平行姿勢で対向する。
【００４６】
第２折り返し部３の右端の右側辺３０には、所定の間隔を置いて２つの係合片９ａ，９ｂが設けられている。係合片９ａ，９ｂは、右側辺３０から立ち上がった構造を呈している。すなわち、係合片９ａ，９ｂは、右側辺３０から右方に突出した突出片である。係合片９ａは、係合片９ｂよりも上辺３２側にある。
【００４７】
図２に示す様に、係合片９ａ，９ｂは、立ち上がり方向における基端側の基端部３４と、先端側の先端部３５と、基端部３４と先端部３５の間の抜け防止部３６を有している。すなわち、係合片９ａ，９ｂは、右側辺３０から近い順に基端部３４，抜け防止部３６，先端部３５を有している。基端部３４は、係合片９ａ，９ｂの基部を構成しており、第２本体部７の右側辺３０と一致している。係合片９ａ，９ｂは、基端部３４で折り曲げることができる。先端部３５は、係合片９ａ，９ｂの端辺を構成している。
【００４８】
抜け防止部３６は、基端部３４と先端部３５の間に設けられた幅広の部位であり、係合片９ａ，９ｂの立ち上がり方向の中央付近に設けられた幅寸法（右側辺３０に沿った方向の寸法）が最も大きい部位である。すなわち、抜け防止部３６の幅寸法Ｌ６は、基端部３４や先端部３５の幅寸法よりも大きい。本実施形態では、先端部３５の幅寸法が最も小さい。
また、係合片９ａ，９ｂは、図２に示す様に、抜け防止部３６から先端部３５に向かって、漸次幅寸法が減少している。
【００４９】
抜け防止部３６の幅寸法Ｌ６は、第１本体部４の係合溝６ａ，６ｂの長さ（上部切欠部２４の上端２４ａから下部切欠部２５の下端２５ａまでの距離Ｌ５）と略一致している。
【００５０】
係合片９ａ，９ｂは、第２折り返し部３を屈曲部４１，４２で折り返した際に、屈曲部２１，２２で折り返した第１折り返し部２側の係合溝６ｂ，６ａと係合できる位置に設けられている。
【００５１】
第３折り返し部１１は、図１に示す様に、表紙形成部１の左側辺１８に設けられている。
第３折り返し部１１は四角形状であり、右側辺３７，左側辺３８，上辺３９，下辺４０を有している。
右側辺３７は、表紙形成部１の左側辺１８と一致しており、屈曲部４５を構成している。
左側辺３８は、自由端の端辺である。
上辺３９は、表紙形成部１の上辺１９と同一直線上に配置されており、上辺１９と連続している。
下辺４０は、表紙形成部１の下辺２０と同一直線上に配置されており、下辺２０と連続している。
【００５２】
第３折り返し部１１は、第２表紙形成部１２（壁面）と第３マチ部１３（収納部１０の側面）を有している。
第３マチ部１３は、第３折り返し部１１の右端に設けられており、右側辺３７を有している。すなわち、第３折り返し部１１は、第３マチ部１３で表紙形成部１と連続しており、表紙形成部１に片持ち状に支持されている。
【００５３】
第３マチ部１３と第２表紙形成部１２の間には、屈曲部４６が設けられている。すなわち、屈曲部４６は、第３マチ部１３と第２表紙形成部１２の境界を構成している。
【００５４】
屈曲部４５と屈曲部４６は、距離Ｌ３だけ離間している。第３マチ部１３は、第３折り返し部１１の右側辺３７から長さＬ３の領域を占めている。すなわち、第３マチ部１３は、Ｌ３のマチ幅を有している。
マチ幅Ｌ３は、マチ幅Ｌ２よりも若干大きい。すなわち、マチ幅Ｌ３は、マチ付きファイル１００を構成する素材の肉厚分だけマチ幅Ｌ２よりも大きい。
【００５５】
屈曲部４６から左側辺３８までの長さは、表紙形成部１の右側辺１７から左側辺１８までの長さ（表紙形成部１の幅）と一致している。
【００５６】
屈曲部４５，４６は、第１本体部４の屈曲部２１，２２、及び第２本体部７の屈曲部４１，４２と同方向に折り曲げることができる。屈曲部４５，４６をそれぞれ直角に折り曲げると、第２表紙形成部１２（壁面）が表紙形成部１とマチ幅Ｌ３だけ離間して平行姿勢で対向する。
【００５７】
次に、マチ付きファイル１００の組立構造を説明する。
第１折り返し部２，第２折り返し部３，第３折り返し部１１の順に説明する。
【００５８】
第１折り返し部２は、図４において矢印Ｂで示す方向に屈曲部２１，２２でそれぞれ直角に折り曲げられており、図５に示す様に、第１本体部４が表紙形成部１と対向している。すなわち、第１本体部４は、表紙形成部１と平行姿勢で対向している。
第１折り返し部２の第１マチ部５は、表紙形成部１に対して直交した壁面（側壁）を構成している。図６に示す様に、第１本体部４と第１マチ部５は直交しており、両者とも収納部１０を仕切る壁面を構成している。
【００５９】
また、図６に示す様に、係合溝６ａ，６ｂの切欠片４３，４４が屈曲部２２から切り立っている。すなわち、係合溝６ａ，６ｂの縁から切欠片４３，４４が起立し、係合溝６ａ，６ｂが若干開いている。
【００６０】
次に、第２折り返し部３は、図４において矢印Ｃで示す方向に屈曲部４１，４２でそれぞれ直角に折り曲げられており、図７に示す様に、第２本体部７が表紙形成部１と対向している。すなわち、第２本体部７は、表紙形成部１と平行姿勢で対向する壁面（側壁）を構成している。換言すると、第２本体部７は、表紙形成部１と共に、収納部１０を仕切る壁面を構成している。
また、第２本体部７は、図１０に示す様に、第１本体部４と面接触し密着している。
第２折り返し部３の第２マチ部８は、表紙形成部１に対して直交した壁面を構成している。第２マチ部８は、収納部１０の底部（底壁）を構成している。
【００６１】
図７を参照すると、第２本体部７を正面視した際に、第２折り返し部３の右側辺３０は、屈曲部２２（第１折り返し部２の第１マチ部５と第１本体部４の境界）とほぼ重なるのがわかる。すなわち、第２本体部７を正面視すると、第２折り返し部３の右側辺３０と、第１マチ部５と第１本体部４との境界部分はほぼ重なっている。
ここで、ほぼ重なるとは、第２本体部７側の係合片９ａ，９ｂと、第１折り返し部２側の係合溝６ｂ，６ａとが係合可能な状態を意味しており、両者が若干ずれている場合も含んでいる。すなわち、第２本体部７を正面視した際に、右側辺３０に設けられた係合片９ａ，９ｂと、第１折り返し部２に設けられた係合溝６ｂ，６ａとが係合できる程度に、右側辺３０と、第１マチ部５と第１本体部４との境界部分は接近している。具体的には、例えば、両者がマチ付きファイル１００を構成する素材の厚み（肉厚）分程度ずれていても差し支えない。
【００６２】
第２折り返し部３の係合片９ａ，９ｂ（図１〜図５）は、それぞれ基端部３４（図２）で折り曲げられている。第２折り返し部３を折り返すと、図６に示す様に、係合片９ａ，９ｂが、それぞれ第１折り返し部２の係合溝６ｂ，６ａと対向する。
【００６３】
係合片９ａ，９ｂは、切欠片４３，４４（図２，図６）にガイドされて係合溝６ｂ，６ａに容易に導かれる。すなわち、係合溝６ｂ，６ａに対する係合片９ａ，９ｂの位置合わせは極めて容易である。
【００６４】
そして、図１０に示す様に、係合片９ａ，９ｂは、係合溝６ｂ，６ａに挿入されて係合する。図１０に示す様に、係合片９ａ，９ｂの抜け防止部３６が、係合溝６ｂ，６ａの上部切欠部２４の上端２４ａと下部切欠部２５の下端２５ａを超えて第１折り返し部２を貫通し、係合溝６ｂ，６ａと係合している。
すなわち、係合片９ａ，９ｂの幅寸法Ｌ６の抜け防止部３６が、距離Ｌ５の係合溝６ｂ，６ａの上端２４ａと下端２５ａの間を通過する。ここで、幅寸法Ｌ６と距離Ｌ５は略同じである。また、係合片９ａ、９ｂは、抜け防止部３６から先端部３５に向かって漸次幅が減少しており、さらに、抜け防止部３６から基端部３４に向かって漸次幅が減少している。すなわち、係合片９ａ，９ｂの幅寸法は、抜け防止部３６で最大となっている。
そのため、係合片９ａ，９ｂは、係合溝６ｂ，６ａに係合し易く、且つ、係合溝６ｂ，６ａから不用意に抜けにくい。
【００６５】
最後に、第３折り返し部１１が、図４において矢印Ｄで示す方向に屈曲部４５，４６でそれぞれ直角に折り曲げられており、図８に示す様に、第２表紙形成部１２が表紙形成部１と対向している。すなわち、第２表紙形成部１２は、表紙形成部１と平行姿勢で対向する壁面（側壁）を構成している。換言すると、第２表紙形成部１２は、表紙形成部１と共に、収納部１０を仕切る壁面を構成している。
【００６６】
第３マチ部１３は、表紙形成部１に対して直交しており、収納部１０の側面（側壁）を構成している。
【００６７】
第３折り返し部１１は、固定されておらず、屈曲部４５，４６を中心に収納部１０の開閉が可能である。
図８に示す様に、第３折り返し部１１を閉じると、収納部１０（内部空間）は、上方と、右側面の上半分だけが開放されており、その他は外部と仕切られて閉鎖されている。
また、図７に示す様に、第３折り返し部１１を開くと、収納部１０（内部空間）は、表紙形成部１，第１折り返し部２の第１マチ部５，第２折り返し部３によって仕切られるのみとなり、正面の上方部分と、左側面側が開放される。すなわち、第３折り返し部１１を伸ばした状態において、収納部１０の内部空間は、左側面と正面の上方部分が開放される。
【００６８】
マチ付きファイル１００は、図７に示す開放状態で収納部１０に被収納物を収納したり、収納した被収納物を取り出し易くなる。
また、図８に示す閉塞状態では、被収納物を保護し易くなる。
【００６９】
マチ付きファイル１００は、図１１に示す様に、第１折り返し部２（係合溝６ａ，６ｂ）と第２折り返し部３（係合片９ｂ，９ａ）の係合部分が、収納部１０の側面を構成する第１マチ部５部分に配置される。そのため、マチ付きファイル１００に書類等の被収納物５０を入れる際に、被収納物５０がこの係合部分に引っ掛かりにくく、入れ易い。すなわち、マチ付きファイル１００の当該係合部分は、収納される被収納物５０の側方（端）にあり、被収納物５０が収納部１０に収納される際に、当該係合部に接触する可能性は極めて低い。
【００７０】
マチ付きファイル１００に被収納物５０を収納する際には、図７に示す様に、通常は第３折り返し部１１を開いて収納する。そのため、収納部１０の開放された左側方から被収納物５０を収納することができる。
そのため、被収納物５０を敢えて収納部１０の右側方（第１マチ部５側）に偏らせて収納する必要がなく、被収納物５０が第１折り返し部２（係合溝６ａ，６ｂ）と第２折り返し部３（係合片９ｂ，９ａ）の係合部分に接触して引っ掛かることがなく、円滑に被収納物５０を出し入れすることができる。
【００７１】
さらに説明すると、第１折り返し部２の第１本体部４の右側辺２６が収納部１０の中央よりの部分において、被収納物の収納方向にのびている。しかし、第１本体部４は、第２折り返し部３の第２本体部７の内側面に接触（密着）している。そのため、被収納物が第１本体部４の右側辺２６に引っ掛かる可能性は極めて低い。
【００７２】
図３，図９に示す第３マチ部１３には、当該マチ付きファイル１００に収納されている被収納物に関する情報を記載することができる。すなわち、第３マチ部１３は、マチ付きファイル１００の背表紙を構成しており、被収納物に関する情報を記載することにより、マチ付きファイル１００を開くことなく中身（被収納物）を認識することができる。
【００７３】
すなわち、図１２に示す様に、複数のマチ付きファイル１００を重ねると、各マチ付きファイル１００の背表紙の位置に相当する第３マチ部１３が一面に揃う。そして、図１２に示す例では、各府県毎に被収納物を分類し、各マチ付きファイル１００に収納し保管することができる。
その結果、各マチ付きファイル１００に収納されている被収納物の種類や内容を容易に識別することができる。
【符号の説明】
【００７４】
１    表紙形成部
２    第１折り返し部
３    第２折り返し部
４    第１本体部
５    第１マチ部
６ａ，６ｂ  係合溝
７    第２本体部
８    第２マチ部
９ａ，９ｂ  係合片
１０  収納部
１１  第３折り返し部
１２  第２表紙形成部
１３  第３マチ部
３４  係合片の基端部
３５  係合片の先端部
３６  係合片の抜け防止部
【図１】
0003202529.tif 000003
【図２】
0003202529.tif 000004
【図３】
0003202529.tif 000005
【図４】
0003202529.tif 000006
【図５】
0003202529.tif 000007
【図６】
0003202529.tif 000008
【図７】
0003202529.tif 000009
【図８】
0003202529.tif 000010
【図９】
0003202529.tif 000011
【図１０】
0003202529.tif 000012
【図１１】
0003202529.tif 000013
【図１２】
0003202529.tif 000014
【手続補正書】
【提出日】平成27年12月2日(2015.12.2)
【手続補正１】
【補正対象書類名】実用新案登録請求の範囲
【補正対象項目名】請求項１
【補正方法】変更
【補正の内容】
【請求項１】
本状又は紙状の被収納物を収納可能な収納部を備えたマチ付きファイルにおいて、
四角形状の表紙形成部と、表紙形成部の側辺から折り返した第１折り返し部と、前記表紙形成部の底辺から第１折り返し部と重なる方向に折り返した第２折り返し部を有し、
前記収納部は、前記第１折り返し部と第２折り返し部によって壁面が形成されるものであり、
前記第１折り返し部は、係合溝を有し、
前記第２折り返し部は、その側辺から立ち上がった係合片を有し、
前記係合片が前記係合溝に挿入されていることを特徴とするマチ付きファイル。
【手続補正２】
【補正対象書類名】実用新案登録請求の範囲
【補正対象項目名】請求項２
【補正方法】変更
【補正の内容】
【請求項２】
本状又は紙状の被収納物を収納可能な収納部を備えたマチ付きファイルにおいて、
四角形状の表紙形成部と、表紙形成部の側辺から折り返した第１折り返し部と、前記表紙形成部の底辺から第１折り返し部と重なる方向に折り返した第２折り返し部を有し、
前記収納部は、前記第１折り返し部と第２折り返し部によって壁面が形成されるものであり、
前記第１折り返し部は、前記表紙形成部と対面する第１本体部と、前記第１本体部と表紙形成部を接続する第１マチ部を有し、
前記第１マチ部は、前記第１本体部との境界部分に係合溝を有し、
前記第２折り返し部は、前記第１本体部に面接触する第２本体部と、前記第２本体部と表紙形成部を接続する第２マチ部を有し、
前記第２マチ部は、前記収納部の底部を形成しており、
前記第２本体部は、その側辺から立ち上がった係合片を有し、前記係合片が前記係合溝に挿入されており、
前記第２本体部を正面視したときに、前記第２本体部の側辺と、前記第１マチ部と前記第１本体部との境界部分がほぼ重なっていることを特徴とするマチ付きファイル。
【手続補正３】
【補正対象書類名】明細書
【補正対象項目名】０００６
【補正方法】変更
【補正の内容】
【０００６】
上記した課題を解決するための請求項１に記載の考案は、本状又は紙状の被収納物を収納可能な収納部を備えたマチ付きファイルにおいて、四角形状の表紙形成部と、表紙形成部の側辺から折り返した第１折り返し部と、前記表紙形成部の底辺から第１折り返し部と重なる方向に折り返した第２折り返し部を有し、前記収納部は、前記第１折り返し部と第２折り返し部によって壁面が形成されるものであり、前記第１折り返し部は、係合溝を有し、前記第２折り返し部は、その側辺から立ち上がった係合片を有し、前記係合片が前記係合溝に挿入されていることを特徴とするマチ付きファイルである。
【手続補正４】
【補正対象書類名】明細書
【補正対象項目名】０００８
【補正方法】変更
【補正の内容】
【０００８】
請求項２に記載の考案は、本状又は紙状の被収納物を収納可能な収納部を備えたマチ付きファイルにおいて、四角形状の表紙形成部と、表紙形成部の側辺から折り返した第１折り返し部と、前記表紙形成部の底辺から第１折り返し部と重なる方向に折り返した第２折り返し部を有し、前記収納部は、前記第１折り返し部と第２折り返し部によって壁面が形成されるものであり、前記第１折り返し部は、前記表紙形成部と対面する第１本体部と、前記第１本体部と表紙形成部を接続する第１マチ部を有し、前記第１マチ部は、前記第１本体部との境界部分に係合溝を有し、前記第２折り返し部は、前記第１本体部に面接触する第２本体部と、前記第２本体部と表紙形成部を接続する第２マチ部を有し、前記第２マチ部は、前記収納部の底部を形成しており、前記第２本体部は、その側辺から立ち上がった係合片を有し、前記係合片が前記係合溝に挿入されており、前記第２本体部を正面視したときに、前記第２本体部の側辺と、前記第１マチ部と前記第１本体部との境界部分がほぼ重なっていることを特徴とするマチ付きファイルである。
【手続補正５】
【補正対象書類名】明細書
【補正対象項目名】０００９
【補正方法】変更
【補正の内容】
【０００９】
本考案の構成によれば、表紙形成部の側辺から折り返した第１折り返し部が係合溝を有し、表紙形成部の底辺から折り返した第２折り返し部が、その側辺から立ち上がった係合片を有しており、係合片が係合溝に挿入されているので、表紙形成部と連続した第１折り返し部と第２折り返し部が係合して収納部を構成することができる。
係合片は、第２折り返し部の側片から立ち上がって構成されているので、第２折り返し部が形成する壁面の強度を良好に保つことができる。そのため、被収納物を良好に収納することができる。
本考案の構成によれば、表紙形成部の側辺から折り返した第１折り返し部があり、第１折り返し部は、表紙形成部と対面する第１本体部と、前記第１本体部と表紙形成部を接続する第１マチ部を有しているので、第１マチ部は収納部の側壁を構成することができる。
また、表紙形成部の底辺から第１折り返し部と重なる方向に折り返した第２折り返し部を有し、第２折り返し部は、第１本体部に面接触する第２本体部と、第２本体部と表紙形成部を接続する第２マチ部を有し、第２マチ部は、前記収納部の底部を形成している。
そのため、第１マチ部と第２マチ部で収納部の側部と底部を構成することができ、被収納物を良好に収納することができる。
第１マチ部が、第１本体部との境界部分に係合溝を有し、第２本体部が、その側辺から立ち上がった係合片を有し、係合片が係合溝に挿入されているので、第１本体部及び第２本体部が形成する壁面上に、係合片と係合溝の結合部分が配置されない。すなわち、第２本体部を正面視したときに、第２本体部の側辺と、第１マチ部と第１本体部との境界部分がほぼ重なっているので、係合片と係合溝の結合部分は、第１本体部及び第２本体部が形成する壁面の縁部分に配置されている。そのため、本考案のマチ付きファイルでは、収納部に被収納物を収容する際に、被収納物が係合片と係合溝の結合部分に引っ掛かりにくく、円滑に収容することができる。同様に、収納部から被収納物を取り出す際も、円滑に取り出すことができる。
ここで、第２本体部の側辺と、第１マチ部と第１本体部との境界部分がほぼ重なっているとは、係合溝と係合片とが係合可能に接近していることを意味しており、正面視して両者が若干ずれている場合も含んでいる。
本考案に係るマチ付きファイルは、使用する際には、第１折り返し部と第２折り返し部を折り返し、係合片と係合溝を係合するだけで容易に被収納物を収納可能な収納部を形成することができる。